(57)【要約】【課題】操作性の向上を図るとともに、ホールド性の向上を図る上で有利な撮像装置を提供する。【解決手段】バリア開閉用部材４２は、バリア４０で隠されない前面１２Ａの左側部１２Ｄの下部に設けられている。バリア開閉用部材４２は、第１の移動位置Ｐ２１と第２の移動位置Ｐ２２との間で揺動可能に設けられ、第１の移動位置Ｐ２１でバリア４０は閉塞位置Ｐ１１となり、第２の移動位置Ｐ２２でバリア４０は開放位置Ｐ１２となる。バリア開閉用部材４２は、第２の移動位置Ｐ２２で、支軸４４から右方向に至るにつれて下方に位置するように傾斜し、筐体１２を保持する際のグリップとして適した姿勢となる。【選択図】図１
2008185879.tif 000002
【特許請求の範囲】
【請求項１】
外装を構成する筐体と、
前記筐体に設けられた撮影レンズと、
前記撮影レンズを覆う閉塞位置と、前記撮影レンズを露出させる開放位置との間で移動可能に設けられたバリアと、
前記筐体に第１の移動位置と第２の移動位置との間で移動可能に設けられたバリア開閉用部材と、
前記バリア開閉用部材の前記第１の移動位置で前記バリアを前記閉塞位置とし、前記第２の移動位置で前記バリアを前記開放位置とする連動機構とを備え、
前記バリア開閉用部材は前記第２の移動位置で前記筐体を保持する際のグリップとして機能する、
ことを特徴とする撮像装置。
【請求項２】
前記筐体は、前後方向の厚さが薄い扁平な板状を呈し、
前記バリア開閉用部材は、前記筐体の前面に設けられている、
ことを特徴とする請求項１記載の撮像装置。
【請求項３】
前記筐体は、前後方向の厚さが薄い扁平な板状を呈し、
前記バリア開閉用部材は、前記筐体の前方から見て前面の左側部の下部に設けられている、
ことを特徴とする請求項１記載の撮像装置。
【請求項４】
前記バリア開閉用部材は、前記筐体の前方から見て前面の左側部を支点として揺動可能に設けられ、
前記バリア開閉用部材は、前記第１の移動位置で前記支点から前記筐体の右方向に延在する上面を有し、
前記上面は、前記第２の移動位置で、前記支点から前記右方向に至るにつれて下方に位置するように傾斜する、
ことを特徴とする請求項１記載の撮像装置。
【請求項５】
前記バリア開閉用部材は、前記筐体の前方から見て前面の左側部を支点として揺動可能に設けられ、
前記バリア開閉用部材は、前記第１の移動位置で前記支点から前記筐体の右方向に延在する細長形状を呈し、
前記バリア開閉用部材は、前記第２の移動位置で、前記支点から前記右方向に至るにつれて下方に位置するように傾斜する、
ことを特徴とする請求項１記載の撮像装置。
【請求項６】
前記バリア開閉用部材は、前記筐体の前方から見て前面の左側部を支点として揺動可能に設けられ、
前記バリア開閉用部材は、前記第１の移動位置で前記支点から前記筐体の右方向に延在する細長形状を呈し、
前記バリア開閉用部材は、前記第２の移動位置で、前記支点から前記右方向に至るにつれて下方に位置するように傾斜し、右手の人差し指と親指で前記筐体の上面と下面を挟んだ状態で、右手の中指が前記バリア開閉用部材に当て付けられるように形成されている、
ことを特徴とする請求項１記載の撮像装置。
【請求項７】
前記バリア開閉用部材は、前記筐体の前方から見て前面の左側部を支点として揺動可能に設けられ、
前記バリア開閉用部材は、該バリア開閉用部材が設けられた前記前面の箇所よりも前方に突出しており、
前記バリア開閉用部材は、前記第１の移動位置で前記支点から前記筐体の右方向に延在する細長形状を呈し、
前記バリア開閉用部材は、前記第２の移動位置で、前記支点から前記右方向に至るにつれて下方に位置するように傾斜し、右手の人差し指と親指で前記筐体の上面と下面を挟んだ状態で、右手の中指が前記バリア開閉用部材に当て付けられるように形成されている、
ことを特徴とする請求項１記載の撮像装置。
【請求項８】
前記バリア開閉用部材は、前記撮影レンズが設けられた前記筐体の面に設けられている、
ことを特徴とする請求項１記載の撮像装置。
【請求項９】
前記バリア開閉用部材は、前記撮影レンズが設けられた前記筐体の面に、前記第１の移動位置と前記第２の移動位置との間で揺動可能に設けられている、
ことを特徴とする請求項１記載の撮像装置。
【発明の詳細な説明】
【技術分野】
【０００１】
本発明は撮像装置に関する。
【背景技術】
【０００２】
デジタルスチルカメラなどの撮像装置として、該撮影装置の撮影レンズなどを保護するために、撮影レンズを開閉するバリアを備えたものがある。
このような撮像装置の具体的構成として、撮像装置の外装を構成する筐体の前面に撮影レンズが設けられ、手を用いて板状のバリアを前面に沿ってスライド移動させることで撮影レンズを開閉するものが提供されている（特許文献１参照）。
【特許文献１】特開２００６−１８４３９０
【発明の開示】
【発明が解決しようとする課題】
【０００３】
この撮像装置では、例えば、バリアを開放して撮影を行う際には、まず、一方の手で撮像装置の筐体を保持し、他方の手でバリアを閉塞位置から開放位置にスライド移動させ、次いで、撮影に適した位置で筐体を保持できるように手の位置を変える。
また、撮影を終了してバリアを閉塞する際には、撮影に適した位置で筐体を保持していた手を持ち替えて、一方の手で撮像装置の筐体を保持し、他方の手でバリアを開放位置から閉塞位置にスライド移動させる。
もちろん、片手のみで筐体を保持した状態で、その片手の指先を用いてバリアを開閉することも可能であるが、手が小さいユーザーではそのような操作には無理がある。
このように従来の撮像装置ではバリアを確実に開閉操作するには、両手を用いなくてはならず操作性に劣る面があった。
また、撮像装置の小型化、薄型化に伴い、筐体をしっかり保持しづらい場合があるため、筐体のホールド性の向上が求められている。
本発明は、このような事情に鑑みなされたものであり、操作性の向上を図るとともに、ホールド性の向上を図る上で有利な撮像装置を提供することにある。
【課題を解決するための手段】
【０００４】
上述の目的を達成するため、本発明の撮像装置は、外装を構成する筐体と、前記筐体に設けられた撮影レンズと、前記撮影レンズを覆う閉塞位置と、前記撮影レンズを露出させる開放位置との間で移動可能に設けられたバリアと、前記筐体に第１の移動位置と第２の移動位置との間で移動可能に設けられたバリア開閉用部材と、前記バリア開閉用部材の前記第１の移動位置で前記バリアを前記閉塞位置とし、前記第２の移動位置で前記バリアを前記開放位置とする連動機構とを備え、前記バリア開閉用部材は前記第２の移動位置で前記筐体を保持する際のグリップとして機能することを特徴とする。
【発明の効果】
【０００５】
本発明によれば、バリア開閉用部材を設け、バリア開閉用部材を揺動させるという簡単な操作によってバリアを開閉させ、バリア開閉用部材を、バリアを開放位置とした第２の移動位置で、筐体を保持する際のグリップとして機能させるようにしたので、撮像装置をしっかり保持することができ、操作性の向上を図るとともに、ホールド性の向上を図る上で有利となる。
【発明を実施するための最良の形態】
【０００６】
次に本発明の実施の形態について図面を参照して説明する。
図１（Ａ）は本実施の形態の撮像装置１０のバリアが閉塞位置Ｐ１１にある状態を示す正面図、（Ｂ）は撮像装置１０のバリアが開放位置Ｐ１２にある状態を示す正面図である。
図２は撮像装置１０の構成を示すブロック図である。
図１（Ａ）、（Ｂ）に示すように、本実施例の撮像装置１０はデジタルスチルカメラであり、外装を構成する筐体１２と、バリア４０と、バリア開閉用部材４２、連動機構４８などを有している。なお、本明細書において前方とは被写体側をいい、後方とは結像側をいい、撮像装置１０の左右は前方から見た状態でいうものとする。
筐体１２は、前後方向の厚さと、厚さよりも大きい寸法の上下方向の高さと、高さよりも大きい寸法の左右方向の幅を有し、扁平な薄い矩形板状に形成されている。
筐体１２は前方に臨む前面１２Ａと、後方に臨む後面と、上方に臨む上面１２Ｂと、下方に臨む下面１２Ｃと、左右に臨む左右の側面とを有している。
図１（Ｂ）に示すように、筐体１２の右側部１２Ｅには、撮影光学系１４（図２参照）を収容するレンズ鏡筒１５が上下方向に延在して設けられている。
筐体１２Ａの上部の右側部１２Ｅ寄りの箇所には、開口１２０２が設けられ、撮影光学系１４の最も前部に配置される撮影レンズ１６が開口１２０２を介して前方に臨んで設けられている。
なお、撮影光学系１４は、撮影レンズ１６に加えて、何れも図示しないが、撮影レンズ１６の後方に位置し光路を９０度下方に屈曲させるプリズム、該プリズムの下方に前記光路に沿って配置された複数のレンズ、光路上に配置された絞り機構などを含んで構成されている。
前面１２Ａの撮影レンズ１６の左側部には、焦点距離測定用の照明光などを照射する発光部１８、照明補助光（閃光）を発光するフラッシュ部２０などが設けられている。
筐体１２の上面１２Ｂにはシャッタボタン２２が設けられ、筐体１２の後面には、図２に示すように、電源のオンオフ、撮影モード、再生モードの切替など種々の操作を行なうための複数の操作スイッチ２４、撮像した映像を表示するディスプレイ２６などが設けられている。
【０００７】
図２に示すように、撮像装置１０は、撮影光学系１４によって結像された被写体像を撮像するＣＣＤやＣＭＯＳセンサなどで構成された撮像素子３０Ａ、該撮像素子３０Ａから出力された撮像信号に基づいて画像データを生成し、メモリカードなどの記憶媒体３０Ｂに記録する画像処理部３０Ｃ、前記画像データをディスプレイ２６に表示させる表示処理部３０Ｄ、シャッタボタン２２や操作スイッチ２４の操作に応じて画像処理部３０Ｃ、表示処理部３０Ｄを制御するＣＰＵなどを含む制御部３０Ｅなどを備えている。
【０００８】
図１（Ａ）、（Ｂ）に示すように、バリア４０は前面１２Ａに配設されている。
バリア４０は、図１（Ａ）に示す撮影レンズ１６を覆う閉塞位置Ｐ１１と、図１（Ｂ）に示す撮影レンズ１６を露出させる開放位置Ｐ１２との間で上下に移動可能に設けられている。
バリア４０は、バリア開閉用部材４２の操作により閉塞位置Ｐ１１と開放位置Ｐ１２とに移動され、また、バリア４０は該バリア４０を直接操作しても閉塞位置Ｐ１１と開放位置Ｐ１２とに移動される。
バリア４０は、前面１２Ａの左側部１２Ｄを除いた残りの部分を覆う大きさの左右方向の寸法と、前面１２Ａの高さよりも小さい寸法とを備えた矩形板状に形成されている。
【０００９】
バリア開閉用部材４２は、バリア４０で隠されない前面１２Ａの左側部１２Ｄの下部に設けられている。
バリア開閉用部材４２は、該バリア開閉用部材４２が設けられた前面１２Ａの左側部１２Ｄの下部よりも前方に突出している。
バリア開閉用部材４２は、第１の移動位置Ｐ２１と第２の移動位置Ｐ２２との間で揺動可能に設けられ、第１の移動位置Ｐ２１でバリア４０は閉塞位置Ｐ１１となり、第２の移動位置Ｐ２２でバリア４０は開放位置Ｐ１２となる。
バリア開閉用部材４２は、揺動の支点となる支軸４４に連結されている。
支軸４４は筐体１２の前後方向に延在し、支軸４４は、左側部１２Ｄの下部寄りでバリア４０寄りの箇所に配置されている。
バリア開閉用部材４２は、図１（Ａ）に示す第１の移動位置Ｐ２１で支軸４４から筐体１２の右方向に延在する上面４２Ａを有し、上面４２Ａは、図１（Ｂ）に示す第２の移動位置Ｐ２２で、支軸４４から右方向に至るにつれて下方に位置するように傾斜する。
言い換えると、バリア開閉用部材４２は、第１の移動位置Ｐ２１で支軸４４から筐体１２の右方向に延在する細長形状を呈している。
そして、バリア開閉用部材４２は、第２の移動位置Ｐ２２で、支軸４４から右方向に至るにつれて下方に位置するように傾斜し、筐体１２を保持する際のグリップとして適した姿勢となる。
すなわち、図７に示すように、右手の人差し指と親指で筐体１２の上面１２Ａと下面１２Ｃを挟んで筐体１２を把持した際に、中指がバリア開閉用部材４２（バリア開閉用部材４２の上面４２Ａ）に当て付けられるように設けられている。
したがって、バリア開閉用部材４２は第２の移動位置Ｐ２２で筐体１２を保持する際のグリップとして機能する。
【００１０】
なお、図１（Ｂ）において、符号Ｐ０はバリア開閉用部材４２の揺動限界位置Ｐ０を示す。
この揺動限界位置Ｐ０は、バリア開閉用部材４２の第１の移動位置Ｐ２１から第２の移動位置Ｐ２２への方向の揺動の揺動限界位置Ｐ０を示す。
本実施の形態では、第１の移動位置Ｐ２１に位置するバリア開閉用部材４２を操作する際に、第２の移動位置Ｐ２２を越えてこの揺動限界位置Ｐ０に揺動させて手を離すと、バリア開閉用部材４２は第２の移動位置Ｐ２２となる。
また、第２の移動位置Ｐ２２に位置するバリア開閉用部材４２を第１の揺動位置Ｐ２１に戻す際に、第２の揺動位置Ｐ２２からこの揺動限界位置Ｐ０に揺動させて手を離すと、バリア開閉用部材４２は第１の移動位置Ｐ２１に復帰する。
このようなバリア開閉用部材４２の動きは、後述する連動機構４８の駆動歯車５０と、第２ラック５６と、スライド板５８と、カムピン６０と、カム溝６２と、コイルスプリング６４などによりなされる。
【００１１】
図３はバリア４０が閉塞位置Ｐ１１に位置した状態を示す連動機構４８の説明図、図４はバリア４０が開放位置Ｐ１２に位置した状態を示す連動機構４８の説明図である。
図５はカムピン６０とカム溝６２の説明図である。
連動機構４８は、バリア開閉用部材４２とバリア４０とを連結し、バリア開閉用部材４２の第１の移動位置Ｐ２１でバリア４０を閉塞位置Ｐ１１とし、バリア開閉用部材４２の第２の移動位置Ｐ２２でバリア４０を開放位置Ｐ１２とするものである。
連動機構４８は、駆動歯車５０と、歯車列５２と、第１ラック５４と、第２ラック５６と、スライド板５８と、カムピン６０と、カム溝６２と、コイルスプリング６４などを含んで構成されている。
駆動歯車５０と、第２ラック５６と、スライド板５８と、カムピン６０と、カム溝６２と、コイルスプリング６４は、前面１２Ａの左側部１２Ｄの内面に配設されている。
歯車列５２はそれらの支軸が筐体１２側で支持され、第１ラック５４はバリア４０の内面に固定されている。
【００１２】
駆動歯車５０は、バリア開閉用部材４２の支軸４４に連結されている。
図３、図４に示すように、駆動歯車５０は、第１歯部５０Ａと、第２歯部５０Ｂと、入力歯車５２Ａに噛合しない第１欠部５０Ｃと、第２欠部５０Ｄと、ストッパ５０Ｅとを備えている。
第１歯部５０Ａは、歯車列５２の入力端に位置する入力歯車５２Ａに噛合可能で、バリア開閉用部材４２の揺動に連動してバリア４０を開閉させるために機能する。
第２歯部５０Ｂは、第２ラック５６に噛合可能で、バリア開閉用部材４２を第１の移動位置Ｐ２１と第２の移動位置Ｐ２２とに位置させるために機能する。第２歯部５０Ｂは、バリア４０が閉塞位置Ｐ１１に位置し、バリア開閉用部材４２が第１の移動位置Ｐ２１に位置した状態で、下限位置に位置する第２ラック５６の歯部５６Ａの上部に噛合している。
第１欠部５０Ｃは、バリア開閉用部材４２を使用せずにバリア４０を直接閉塞位置Ｐ１１から開放位置Ｐ１２に、また、開放位置Ｐ１２から閉塞位置Ｐ１１に移動させる場合に機能する。第１欠部５０Ｃは、バリア４０が閉塞位置Ｐ１１に位置し、バリア開閉用部材４２が第１の移動位置Ｐ２１に位置した状態で、入力歯車５２Ａに臨んでいる。
第２欠部５０Ｄは、バリア開閉用部材４２を第１の移動位置Ｐ２１から第２の移動位置Ｐ２２に移動させる場合と、バリア開閉用部材４２を第２の移動位置Ｐ２２から第１の移動位置Ｐ２１に移動させる場合の双方の場合にバリア開閉用部材４２が第２の移動位置Ｐ２２から揺動限界位置Ｐ０に揺動した際に、入力歯車５２Ａに臨み、バリア４０を開放位置Ｐ１２に留めるように機能する。
【００１３】
第１ラック５４は左右に間隔をおいて一対設けられている。
歯車列５２は、左右一対の第１ラック５４にそれぞれ噛合する左右一対の出力歯車５２Ｂを備えている。
したがって、歯車列５２が駆動されることで、バリア４０は一対の出力歯車５２Ｂおよび一対の第１ラック５４を介して上下に移動する。
図３に示すようにバリア４０の閉塞位置Ｐ１１で、出力歯車５２Ｂは第１ラック５４の下部に噛合しており、図４に示すようにバリア４０の開放位置Ｐ１２で、出力歯車５２Ｂは第１ラック５４の上部に噛合している。
【００１４】
第２ラック５６は前面１２Ａの左側部１２Ｄの内面に上下に移動可能に配設され、スライド板５８は第２ラック５６の上部に取着され、第２ラック５６およびスライド板５８はコイルスプリング６４により常時下方に付勢されている。
【００１５】
図３乃至図５に示すように、カムピン６０は、スライド板５８に取着された断面が円形のばね鋼棒６１の端部に形成された直線部で構成されており、カムピン６０は前方に向かって、すなわち、前面１２Ａに向かって突出している。
そして、このカムピン６０に係合するカム溝６２が設けられている。
カム溝６２は、前面１２Ａの内面に取着されたカムプレート６６に形成されている。
【００１６】
これら第２ラック５６、スライド板５８、コイルスプリング６４、カムピン６０、カム溝６２は、バリア開閉用部材４２を第１の移動位置Ｐ２１と第２の移動位置Ｐ２２とに位置させ、また、バリア開閉用部材４２の揺動限界位置Ｐ０を決定するものである。
図５に示すように、カム溝６２はハート型を呈しており、上部にＶ字部６２Ａを有し、下部にＵ字部６２Ｂを有し、また、それらＶ字部６２ＡとＵ字部６２Ｂを接続する一対の溝部６２Ｃ、６２Ｄを有している。
Ｖ字部６２Ａは２つの傾斜溝６２Ｅ、６２Ｆと中央下端６２Ｇとで形成されている。
カムピン６０はその先端がカム溝６２の底面６２０２に常時当接するようにばね鋼棒６１により付勢されており、Ｕ字部６２Ｂの下端６２１０では、カム溝６２の底面６２０２が最も低くなっている。
そして、一方の溝部６２Ｃでは、下端６２１０から溝部６２Ｃの上部に至るにつれて底面６２０２が次第に高くなるように形成されている。
また、Ｖ字部６２Ａの中央下端６２Ｇと一方の溝部６２Ｃの上端とを接続する傾斜溝６２Ｅの底面６２０２は、溝部６２Ｃの底面６２０２よりも低く形成されている。
また、Ｖ字部６２Ａの中央下端６２Ｇと他方の溝部６２Ｄの上端とを接続する傾斜溝６２Ｆの底面６２０２は、前記傾斜溝６２Ｅの底面６２０２よりも低く形成されている。
また、傾斜溝６２Ｆの上端とＵ字部６２Ｂを接続する他方の溝部６２Ｄの底面６２０２は、Ｕ字部６２Ｂの下端６２１０に至るにつれて次第に高くなるように形成されている。
このようにカム溝６２の底面６２０２の高さを変えることによりカムピン６０が逆戻りしないように図られており、言い換えると、カムピン６０はカム溝６２内でコイルスプリング６４により常時下方に向かうように付勢されているので、カムピン６０が逆戻りせずに所望の方向にのみカム溝６２内を移動するように図られている。
【００１７】
カムピン６０は、図３に示すようにバリア開閉用部材４２が第１の移動位置Ｐ２１に位置し、バリア４０が閉塞位置Ｐ１１に位置した状態で、Ｕ字部６２Ｂの下端６２１０に位置している。
カムピン６０が下端６２１０に位置した状態で、コイルスプリング６４によりスライド板５８が下方に付勢されているため、カムピン６０は下端６２１０に押圧する方向に付勢され、この状態でバリア開閉用部材４２は第１の移動位置Ｐ２１となり、第１の移動位置Ｐ２１に留まる。
【００１８】
また、カムピン６０は、バリア開閉用部材４２を第２の移動位置Ｐ２２方向に揺動させると、駆動歯車５０により第２ラック５６およびスライド板５８が上方に移動し、カムピン６０は下端６２１０からＶ字部６２Ａに向かう一方の溝部６２Ｃを通り、一方の溝部６２Ｃの頂点６２１２に位置する。
カムピン６０が一方の溝部６２Ｃの頂点６２１２に位置した状態でバリア開閉用部材４２は揺動限界位置Ｐ０に位置する。
この状態でバリア開閉用部材４２から手を離すと、コイルスプリング６４によりスライド板５８が下方に付勢されていることから、カムピン６０は頂点６２１２からＶ字部６２Ａの中央下端６２Ｇに案内され、カムピン６０はＶ字部６２Ａの中央下端６２Ｇに位置する。
このときのカムピン６０の移動によりスライド板５８および第２ラック５６が下方に移動し、駆動歯車５０を介しバリア開閉用部材４２は第２の移動位置Ｐ２２となり、第２の移動位置Ｐ２２に留まる。
【００１９】
また、カムピン６０は、バリア開閉用部材４２を第２の移動位置Ｐ２２から揺動限界位置Ｐ０に揺動させると、Ｖ字部６２Ａの中央下端６２Ｇから他方の頂点６２１４に案内され、ここでバリア開閉用部材４２から手を離すと、コイルスプリング６４によりスライド板５８が下方に付勢されていることから、カムピン６０はＶ字部６２ＡからＵ字部６２Ｂの下端６２１０に向かって他方の溝部６２Ｄを移動し、Ｕ字部６２Ｂの下端６２１０に位置する。
このときのカムピン６０の移動によりスライド板５８および第２ラック５６が下方に移動し、駆動歯車５０を介しバリア開閉用部材４２は第１の移動位置Ｐ２１となる。
カムピン６０がＵ字部６２Ｂの下端６２１０に位置した状態で、バリア開閉用部材４２は第１の移動位置Ｐ２１となり、第１の移動位置Ｐ２１に留まる。
【００２０】
なお、駆動歯車５０に設けられたストッパ５０Ｅは、バリア開閉用部材４２を揺動限界位置Ｐ０に揺動させた際に、図４に示すように、筐体１２に設けられたストッパ１３に当接し、バリア開閉用部材４２の揺動限界位置Ｐ０を規制するものである。
【００２１】
また、バリア開閉用部材４２が第１の移動位置Ｐ２１に位置した状態で、バリア４０のみを下方に移動させると、入力歯車５２Ａは駆動歯車５０の第１欠部５０Ｃに臨んでいるため、第１ラック５４の下方への移動により歯車列５２のみが回転し、バリア４０の下方への移動が支障なく行われる。そして、バリア４０の開放位置Ｐ１２は、バリア４０と前面１２Ａの間に設けられた不図示のトグルスプリングにより維持される。また、開放位置Ｐ１２からバリア４０を上方に移動させると、バリア４０は閉塞位置Ｐ１１に復帰し、この状態は前記トグルスプリングにより維持される。
なお、バリア４０の閉塞位置Ｐ１１と開放位置Ｐ１２とを規制する不図示のストッパが前面１２Ａに設けられている。
【００２２】
次に作用について説明する。
図６はバリア４０が閉塞位置Ｐ１１に位置した状態を示す操作説明図、図７はバリア４０が開放位置Ｐ１２に位置した状態を示す操作説明図である。
撮像装置１０によって撮影を行うにあたって、ユーザーは、図６に示すように、バリア４０が閉塞位置Ｐ１１に位置しバリア開閉用部材４２が第１の移動位置Ｐ２１に位置した状態の撮像装置１０を手で保持する。
この際、右手の人差し指と親指で筐体１２の上面１２Ａと下面１２Ｃを挟んで筐体１２を把持した状態で、中指をバリア開閉用部材４２（バリア開閉用部材４２の上面４２Ａ）に当て付ける。
そして、図７に示すように、中指によってバリア開閉用部材４２を第１の移動位置Ｐ２１から第２の移動位置Ｐ２２を越えて揺動限界位置Ｐ０まで揺動させる。
【００２３】
（バリア４０の動き）
バリア開閉用部材４２を第１の移動位置Ｐ２１から第２の移動位置Ｐ２２に揺動させると、図４に示すように、バリア開閉用部材４２と一体に駆動歯車５０が回転され、駆動歯車５０の第１歯部５０Ａ、歯車列５２、一対の出力歯車５２Ｂを介して第１ラック５４が下方に移動され、これにより、バリア４０が閉塞位置Ｐ１１から開放位置Ｐ１２に移動する。
さらに、バリア開閉用部材４２を第２の移動位置Ｐ２２から揺動限界位置Ｐ０まで揺動させると、駆動歯車５０の第２欠部５０Ｄが入力歯車５２Ａに臨むことから、歯車列５２は駆動されず、したがって、バリア４０には何ら力が作用せず、バリア４０は開放位置Ｐ１２に留まる。
【００２４】
（カムピン６０の動き）
一方、バリア開閉用部材４２を第１の移動位置Ｐ２１から第２の移動位置Ｐ２２に揺動させると、第２ラック５６が上方に移動され、スライダ板５８を介してカムピン６０は、下端６２１０から一方の溝部６２Ｃ内を上昇し、バリア開閉用部材４２の第２の移動位置Ｐ２２では、カムピン６０は一方の頂点６２１２の下方に位置している。
さらに、バリア開閉用部材４２を第２の移動位置Ｐ２２から揺動限界位置Ｐ０まで揺動させると、カムピン６０はカム溝６２内で一方の頂点６２１２に至る。
したがって、バリア開閉用部材４２を揺動限界位置Ｐ０まで揺動させたのち、バリア開閉用部材４２から指を離すと、カムピン６０はカム溝６２内で一方の頂点６２１２から中央下端６２Ｇに至り、バリア開閉用部材４２は第２の移動位置Ｐ２２に戻される。
【００２５】
図７に示すように、バリア開閉用部材４２は、第２の移動位置Ｐ２２で、支軸４４から右方向に至るにつれて下方に位置するように傾斜し、筐体１２を保持する際のグリップとして適した姿勢となる。
すなわち、右手の人差し指と親指で筐体１２の上面１２Ａと下面１２Ｃを挟んで筐体１２を把持した際に、中指がバリア開閉用部材４２（バリア開閉用部材４２の上面４２Ａ）に当て付けられる。
したがって、バリア開閉用部材４２は第２の移動位置Ｐ２２で筐体１２を保持する際のグリップとして機能する。
したがって、ユーザーは、第２の移動位置Ｐ２２に位置したバリア開閉用部材４２に中指を掛けることで、撮像装置１０をしっかり保持することができ安定して撮影を行うことができる。
【００２６】
撮影が終了したならば、図７に示すように、中指によってバリア開閉用部材４２を第２の移動位置Ｐ２２から揺動限界位置Ｐ０まで揺動させたのち、バリア開閉用部材４２から指を離す。
（バリア４０の動き）
バリア開閉用部材４２を第２の移動位置Ｐ２２から揺動限界位置Ｐ０に揺動させると、第２欠部５０Ｄが入力歯車５２Ａに臨むことから、歯車列５２は駆動されず、したがって、バリア４０は開放位置Ｐ１２に留まる。
そして、手を離してバリア開閉用部材４２が第２の移動位置Ｐ２２から第１の移動位置Ｐ２１に戻される際に、入力歯車５２Ａと歯車列５２とが噛合し、バリア４０は開放位置Ｐ１２から閉塞位置Ｐ１１に戻る。
（カムピン６０の動き）
一方、バリア開閉用部材４２を第２の移動位置Ｐ２２から揺動限界位置Ｐ０に揺動させると、カムピン６０はカム溝６２内で中央下端６２Ｇから他方の頂点６２１４に至る。
そして、バリア開閉用部材４２から指が離されると、コイルスプリング６４の付勢力によって、カムピン６０は他方の頂点６２１４から他方の溝部６２Ｄを通って下端６２１０に至り、スライド板５６を介して第２ラック５６が下方に移動されることにより、第２歯部５０Ｂを介して駆動歯車５０が回転され、バリア開閉用部材４２は第１の移動位置Ｐ２１に戻される。
【００２７】
本実施の形態によれば、バリア開閉用部材４２を設けたので、バリア開閉用部材４２を揺動させるという簡単な操作によってバリア４０を開閉させることができる。
しかも、バリア開閉用部材４２は、バリア４０を開放位置Ｐ１２とした第２の移動位置Ｐ２２で、筐体１２を保持する際のグリップとして機能するので、撮像装置１０をしっかり保持することができるようになり、操作性の向上を図るとともに、ホールド性の向上を図る上で有利となる。
また、バリア開閉用部材４２は、筐体１２の前面１２Ａの左側部１２Ｄでしかも下部に位置しているので、保持しづらい扁平な筐体１２を、バリア開閉用部材４２を利用することでしっかりと保持できるようになり、操作性の向上を図るとともに、ホールド性の向上を図る上で有利となる。
また、右手で筐体１２を保持した状態で、その右手の中指でバリア開閉用部材４２を揺動させることができるため、手が小さいユーザーであっても両手を使うことなく簡単な操作によってバリア４０を確実に開閉させることができ、操作性の向上を図る上で有利となる。
【００２８】
なお、バリア開閉用部材４２は、その操作が容易にでき、第２の移動位置Ｐ２２に位置した状態で筐体１２を保持する際のグリップとして機能するものであればよく、バリア開閉用部材４２の配設位置、移動方向、形状は本実施の形態に限定されるものではない。
また、本実施の形態では、連動機構４８が、駆動歯車５０と、歯車列５２と、第１ラック５４と、第２ラック５６と、スライド板５８と、カムピン６０と、カム溝６２と、コイルスプリング６４などで構成されている場合について説明したが、連動機構４８は、リンク機構、カム機構、スライダ機構やそれらの組み合わせなど従来公知のさまざまな構造が採用可能であり、連動機構４８は実施の形態の構成に限定されない。
【００２９】
また、本実施の形態では、連動機構４８が機械的な構造で構成されている場合について説明したが、連動機構４８はモータなどのアクチュエータを含んで構成されていてもよく、この場合にも従来公知のさまざまな構造が採用可能である。
また、実施の形態では、撮像装置１０としてデジタルスチルカメラを用いて説明したが、本発明は、ビデオカメラ、その他種々の撮像装置、撮像装置を備える携帯電話機や携帯電子機器などに適用可能である。
【図面の簡単な説明】
【００３０】
【図１】（Ａ）は本実施の形態の撮像装置１０のバリアが閉塞位置Ｐ１１にある状態を示す正面図、（Ｂ）は撮像装置１０のバリアが開放位置Ｐ１２にある状態を示す正面図である。
【図２】撮像装置１０の構成を示すブロック図である。
【図３】バリア４０が閉塞位置Ｐ１１に位置した状態を示す連動機構４８の説明図である。
【図４】バリア４０が開放位置Ｐ１２に位置した状態を示す連動機構４８の説明図である。
【図５】カムピン６０とカム溝６２の説明図である。
【図６】バリア４０が閉塞位置Ｐ１１に位置した状態を示す操作説明図である。
【図７】バリア４０が開放位置Ｐ１２に位置した状態を示す操作説明図である。
【符号の説明】
【００３１】
１０……撮像装置、１２……筐体、１６……撮影レンズ、４０……バリア、４２……バリア開閉用部材、４８……連動機構、Ｐ１１……閉塞位置、Ｐ１２……開放位置、Ｐ２１……第１の移動位置、Ｐ２２……第２の移動位置。
【図１】
2008185879.tif 000003
【図２】
2008185879.tif 000004
【図３】
2008185879.tif 000005
【図４】
2008185879.tif 000006
【図５】
2008185879.tif 000007
【図６】
2008185879.tif 000008
【図７】
2008185879.tif 000009